(57)【特許請求の範囲】
【請求項１】
背面壁と、その両側端部にそれぞれ回動可能に連結された側面壁と、前記背面壁の下端部に回動可能に連結された底面壁と、前記側面壁に回動可能に連結された正面壁と、前記背面壁の上端部に回動可能に連結された天面壁とによって構成される四角箱状の収容室を有するロールボックスパレットであって、
前記収容室を構成する各壁が、前記背面壁上に折り重ね可能であり、
前記背面壁の両端部に、前記背面壁上に折り重ねられた壁の厚みよりも突出し、当該ロールボックスパレット上に積み重ねられた他のロールボックスパレットを支持可能な支持部が設けられていて、
前記支持部が、コの字状に組み立てられて、両側の側面板の間に２枚の位置決め板が間隔をおいて渡されて空間が形成されており、この空間に側面壁のフレーム部材を回動可能に軸支していることを特徴とするロールボックスパレット。
【請求項２】
前記支持部の背側には、他のパレットを積み重ねるための支持受け皿部が固定されており、その支持部の自由端側は、背面壁のフレーム部材への取り付け部となっており、この支持腕金具の長さが各壁を平坦に折り重ねたパレットの厚さより長くなっていることを特徴とする請求項１に記載のロールボックスパレット。
【発明の詳細な説明】
【技術分野】
【０００１】
本発明は、収容室を構成する各壁を一の壁部材上に折り重ねて平坦とすることができ、さらに他のパレットを積み重ね保管することのできるロールボックスパレットおよびその積み重ね用の金具に関する。
【背景技術】
【０００２】
従来、荷を収容する収容室と、収容室の下端にキャスターとを備えたロールボックスパレットとして、例えば特許文献１，２に記載されたものがある。これは、四角箱状に形成された収容室の内部に、洋服を吊るしたまま収容したり、収容室内部に棚を複数段取り付けて荷を振り分けて収容し、収容室の下端に取り付けられたキャスターによって、荷を収容したロールボックスパレットを容易に移動可能としたものである。
【０００３】
また、不使用時には、ロールボックスパレットを直立させた状態で、収容室を構成する片側の側面壁のみを内側に旋回させて折り畳み、横断面Ｌ字型とし、順次他のパレットをその内側に並べ重ねて直立させたまま保管している。
【先行技術文献】
【特許文献】
【０００４】
【特許文献１】特開２００６−２９０４４０号公報
【特許文献２】実開平０７−０３５２４１号公報
【発明の概要】
【発明が解決しようとする課題】
【０００５】
従来のロールボックスパレットは、不使用時において、横断面Ｌ字型に折り重ねたロールボックスパレットを直立させた状態で、Ｌ字形状の内側に順次ロールボックスパレットを整列させてネスティングさせているため、ネスティングが整然とした列を形成せず、ロールボックスパレットを重ね合わせる毎に斜め水平方向に伸びていくため、ロールボックスパレットの保管場所として広いスペースが必要である。
【０００６】
そこで本発明はこのような問題点に鑑み、効率よく収納することができるロールボックスパレットおよびそのための支持部を提供することを目的とする。 
【課題を解決するための手段】
【０００７】
そのため本発明は、四角箱状の収容室を有するロールボックスパレットであって、収容室を構成する各壁部材が、一の壁部材上に折り重ね可能に構成されており、そしてその折り重ねられた壁部材よりも突出するように、一の壁部材の両端部に支持部が設けられていて、他のロールボックスパレットを当該ロールボックスパレット上に積み重ねて支持し保管できるようにしたことを特徴とする。
【０００８】
本発明によれば、収容室の各壁部材を一の壁部材上に折り重ねて平坦とすることができる。これにより、平坦に折り重ねたロールボックスパレットを、順次床面に積み重ねることができる。またこのとき、上側に重ねられたロールボックスパレットの両端部が上方に突出した支持部により間隔を有して支持されるので、一の壁部材上に折り重ねられた壁部が上側に積み重ねられたロールボックスパレットの重みによって圧迫されることがなく、損傷等の不具合が生じない。このようにして、ロールボックスパレットを上方向に積み重ねて効率よく収納することができる。
【０００９】
また、収容室は、一の壁部材としての背面壁と、背面壁の両側端部にそれぞれ回動可能に連結された側面壁と、背面壁の下端部に回動可能に連結された底面壁と、側面壁に回動可能に連結された正面壁と、背面壁の上端部に回動可能に連結された天面壁と、によって構成され、支持部は、側面壁を回動可能に軸支していることが好ましい。
【００１０】
この場合には、側面壁を軸支する部材と支持部とが同一の部材によって構成されるため、構造を簡素化することができる。
【００１１】
また、天面壁は、収容室が四角箱状に形成されている状態において、側面壁の上端と対向する部位に、天面壁の水平支持と側面壁の上端部が当該天面壁側に傾斜することを規制するストッパが設けられていることが好ましい。
【００１２】
この場合には、ストッパによって、側面壁の上端部が内側並びに天面壁側に傾斜することが防止され、収容室の形状を歪みが生じることなく維持することができるので、例えば荷の収納や取り出しのために正面壁を開閉させるときに、正面壁を不具合なく開閉させることができる。
【発明の効果】
【００１３】
本発明によれば、不使用時に、ロールボックスパレット上に他のロールボックスパレットを積み重ねて効率よく保管することができ、かつ支持部により間隔をおいて積み重ねられるので折り畳まれたロールボックスパレットに損傷を与えることがないロールボックスパレットを提供することができる。
【図面の簡単な説明】
【００１４】
【図１】ロールボックスパレットの全体構成を示す斜視図である。
【図２】ロールボックスパレットの各壁の構成を示す斜視図である。
【図３】支持部の構造を示す図である。
【図４】支持部の構造を示す斜視図である。
【図５】支持部の取り付け方法を示す図である。
【図６】ロールボックスパレットの上面を示す図である。
【図７】ロールボックスパレットの各壁を折り重ねる様子を示す斜視図である。
【図８】ロールボックスパレットを積み重ねた様子を示す図である。
【発明を実施するための形態】
【００１５】
次に、本発明の実施の形態を説明する。なお、本実施形態において、同一構成要素には同一番号を付して説明を省略する。
【００１６】
図１は、ロールボックスパレット１の全体構成を示す斜視図である。ロールボックスパレット１は、四角箱状に形成された収容室２と、収容室２の下端の四隅に取り付けられたキャスター３とを含んで構成されている。また、収容室２は、内部に荷を収容可能となっており、収容室２内に荷を収容したロールボックスパレット１をキャスター３によって容易に移動可能となっている。
【００１７】
次に、収容室２の詳細な構造について説明する。図２は、ロールボックスパレット１の構造を示す図であり、図２（ａ）は、ロールボックスパレット１の正面壁を開放した状態を示し、図２（ｂ）は、天井壁２７及び底面壁２４を回動させた様子を示している。図３は、背面壁２１と側面壁２３，２４との連結構造を示す横断面図であり、図３（ａ）は、ロールボックスパレット１の使用時における連結構造を示し、図３（ｂ）は、ロールボックスパレット１の折り畳み時における連結構造を示している。
【００１８】
図２（ａ）に示すように、収容室２は、収容室２の上面に位置する天井壁２７と、下面に位置する底面壁２４と、側面に位置する側面壁２２，２３と、背面に位置する背面壁２１と、正面に位置する正面壁２６，２７とより構成されている。特に図２（ｂ）に示すように、背面壁２１の下側両端部にキャスター３がそれぞれ取り付けられ、側面壁２２，２３の下側端部の一端にキャスター３がそれぞれ取り付けられている。
【００１９】
背面壁２１は、特に図３（ａ）に示すように、金属パイプによって略四角枠状に形成されたフレーム部材２１ａと、そのフレーム部材２１ａ内に張り巡らされたメッシュ部材２１ｂと、必要に応じて収容室２の内側からフレーム部材２１ａを覆うように取り付けられる板部材２１ｃとより構成されている。板部材２１ｃは、例えばプラスチック製あるいはダンボール製の板等を用いることができる。また、側面壁２２，２３、正面壁２５，２６、天井壁２７についても、背面壁２１と同様に、四角枠状のフレーム部材と、メッシュ部材と、板部材とより構成されている。底面壁２４は、金属製の板部材によって構成されている。
【００２０】
正面壁２５，２６は、連結具３０によって側面壁２２，２３にそれぞれ回動可能に連結されている（図１，図２（ａ）参照）。正面壁２５，２６を回動させることにより、収容室２内への荷の収容又は荷の取出しが可能となる。また、正面壁２５，２６には、正面壁２５，２６によって収容室２の開口が閉じられた状態で正面壁２５，２６をロック可能な留め金３１が備えられている（図１参照）。
【００２１】
図２（ｂ）に示すように、天井壁２７は、背面壁２１の上端部において背面壁２１と連結具３０によって回動可能に連結されている。同様に、底面壁２４は、背面壁２１の下端部において背面壁２１と図示しない連結具によって回転可能に連結されている。
【００２２】
図３（ａ）に示すように、側面壁２２，２３は、背面壁２１の両側端部にパレット前方方向に水平にそれぞれに取り付けられた上下の支持腕金具４２，４３によって回動可能に連結されている。より詳細には、収容室２のフレーム部材２１ａにコの字状の支持腕金具４２，４３が両側から挟んで溶接等によって取り付けられている。また、支持腕金具４２，４３は、側面壁２２のフレーム部材２２ａ，側面壁２３のフレーム部材２３ａをそれぞれ回動可能に軸支する。即ち、フレーム２２ａが側面壁２２の回動軸となり、フレーム部材２３ａが側面壁２３の回動軸となる。
【００２３】
図４の斜視図にしたがって、支持腕金具４３を詳細に説明する。
図４（ａ）に示すように支持腕金具４３はコの字状に組み立てられていて、両側の側面板４３ｂ、４３ｃに直交するようにその間に間隔をおいて２枚の位置決め板４３ｄ，４３ｅが渡されて両側面板４３ｂ、４３ｃに溶接されている。支持腕金具４３の背側部に断面弧状の受け皿部４３ａが固定されている。
両側の側面板４３ｂ，４３ｃと位置決め板４３ｄ，４３ｅとで形成される四角形空間に、パレットの側面壁２３のフレーム部材２３ａを保持している。そして支持腕金具４３の自由端側（図４中の右側端部）は、背面壁２１のフレーム部材２１ａに溶接によって取り付けられる。
このように支持腕金具４３は、側面壁のフレーム部材２３ａを位置決めした状態で回動可能に支持する。
【００２４】
また、図４（ｂ）に示すように、パレットの反対側、すなわち背面壁において左右逆側に取り付けられる支持腕金具４２についても、位置決め板４２ｄ，４２ｅの位置が受け皿部４２ａよりに移動して、他側のパレットの側面壁２２のフレーム部材２２ａの支持するための四角形空間の位置が変わるだけで同様の構成となっている。
一方の支持腕金具４２が支持するフレーム部材２２ａ（側面壁２２の回動軸）とフレーム部材２１ａとの間を距離Ａとし、他方の支持腕金具４３が支持するフレーム部材２３ａ（側面壁２３の回動軸）とフレーム部材２１ａとの間を距離Ｂとした場合、Ａ＞Ｂの関係となっている。
なお図４には、支持腕金具の両側の側面板間の固定を補強にするためのボルト４３ｆが示されている。
【００２５】
次に支持腕金具４２，４３の取り付け方法について図５により説明する。   支持腕金具４２，４３は両側側面板４３ｂ，４３ｃに分かれており、片側の側面板４３ｂの端部には受け皿部４３ａが溶接されていて、他側の側面板４３ｃには、側面板４３ｃに直交する２枚の位置決め板４３ｄ，４３ｅが間隔をおいて溶接されており、その側面板４３ｃの端部４３ｇは受け皿部４３ａを背面で支持するために、その受け皿部の背面に添うように折れ曲げられている。
この支持腕金具４２，４３のパレットへの取り付け方法は、まず側面板４３ｂの一端４３ｈ（図において上端）をパレットの外側から背面壁２１のフレーム部材２１ａへ溶接する。側面板４３ｂの一端４３ｈは、溶接が強固に行われるように点線で示すようにフレーム部材２１ａの裏側まで旋回する形状としておくと有利である。次に他側の側面板４３ｃをパレット内側から、その位置決め板４３ｄ，４３ｅの間にパレット側面壁２３のフレーム部材２３ａが位置するようにして、他側の側面板４３ｂに押し付け、位置決め板４３ｄ，４３ｅの先端を他側の側面板４３ｂの内面に溶接して行なう。
【００２６】
前記したように支持腕金具４２が構成されていることにより、図３（ｂ）に示すように、側面壁２２，２３の回動軸（フレーム部材２２ａ，２３ａ）の位置が互いに異なり、背面壁２１上に各壁（底面壁２４，天井壁２７，側面壁２３，正面壁２６，側面壁２２，正面壁２５）を順次折り重ねたときに、それぞれの壁が背面壁２１上で略平行に折り重ねることができる。なお、図３（ｂ）に示すように、支持腕金具４２，４３の長さは、背面壁２１上に各壁（底面壁２４，天井壁２７，側面壁２３，正面壁２６，側面壁２２，正面壁２５）を折り重ねたときの各壁の厚みの合計よりも長くなっている。
【００２７】
図６は、天井壁２７と側面壁２２，２３とを固定する構造を示す図であり、図６（ａ）は、ロールボックスパレット１を上方から見た図であり、図６（ｂ）はスライド金具２７ｅ周りの縦断面を示す図である。天井壁２７と側面壁２２，２３とを固定する構造について説明する。
【００２８】
天井壁２７は、そのフレーム部材２７ａの外周面において側面壁２２，２３の上端と対向する部位に、側面壁２２，２３の上端部が当該天面壁２７側に傾斜することを規制するストッパ２７ｓが設けられている。また、天井壁２７の両端には、図６（ａ），図６（ｂ）中において左右方向にスライド可能なスライド金具２７ｅがフレーム部材２７ａによって摺動可能に保持されている。特に図６（ｂ）に示すように、スライド金具２７ｅの先端部が折り曲げられていることにより、スライド金具２７ｅの先端部によって側面壁２２，２３を引っ掛けて天井壁２７と側面壁２２，２３とを固定することができる。固定を行わない場合には、スライド金具２７ｅを天井壁２７の中央側にスライドさせることにより、スライド金具２７ｅが天井壁２７の外周から突出することを防止できる。
【００２９】
このように、各壁部材を回動させて四角箱状の収容室２を形成することにより、内部に荷を収容可能なロールボックスパレット１となる。
【００３０】
次に、ロールボックスパレット１を収納する構成について説明する。   図７は、ロールボックスパレット１を収納する様子を示す図であり、図７（ａ）は、天井壁２７と底面壁２４とを背面壁２１に折り重ねた様子を示し、図７（ｂ）は、天井壁２７、底面壁２４の上に側面壁２３とその上に折り畳まれた正面壁２６を折り重ねた様子を示す。また、図８は、各板を背面壁２１に折り重ねて平坦としたロールボックスパレット１および他のパレット１’を積み重ねた様子を示す図である。
【００３１】
使用状態のロールボックスパレット１（図１に示す状態）を収納するため、まず、図２（ｂ）に示すように、天井壁２７と底面壁２４とを収容室２の内側に回動させて背面壁２１に折り重ねる。さらに、図７（ａ）に示すように正面壁２５を側面壁２２に折り重ね、正面壁２６を側面壁２３に折り重ねる。そして、図７（ｂ）に示すように、正面壁２６が側面壁２３上に折り重ねられた状態で、側面壁２３を背面壁２１上に折り重ねる。そして、他側の正面壁２５が側面壁２２に折り重ねられた状態で側面壁２２を背面壁２１（正面壁２６の上）に折り重ねることによりロールボックスパレット１を平坦とすることができる（図３（ｂ）参照）。
【００３２】
そして、図８に示すように、平坦となったロールボックスパレット１を、背面壁２１を下にして床面に置く。その時背面壁２１に取り付けられた支持腕金具４２，４３の受け皿部４２ａ，４３ａが上側を向いている。同様に平端に折り重ねられた他のロールボックスパレット１’を積み重ねることができる。このとき、上側に重ねるロールボックスパレット１’における背面壁２１のフレーム部材２１ａが、下側のロールボックスパレット１の支持腕金具４２，４３の受け部４２ａ，４３ａに収まるように積み重ねる。即ち、上側に重ねられるロールボックスパレット１’を、下側のロールボックスパレット１の支持腕金具４２，４３によって支持する。これにより、下側のロールボックスパレット１において、背面壁２１に折り重ねられた各壁よりも支持腕金具４２，４３が上側に突出しているため、上下のロールボックスパレットの間に間隔が形成され、上側のロールボックスパレット１’の背面壁２１’によって下側のロールボックスパレット１の各壁が圧迫されることがない。
【００３３】
本実施形態は以上のように構成され、収容室２の各壁（底面壁２４，天井壁２７，側面壁２３，正面壁２６，側面壁２２，正面壁２５）を背面壁２１上に折り重ねて平坦とすることができる。これにより、平坦に折り重ねたロールボックスパレット１を床面に倒し込み、平坦に折り重ねた他のロールボックスパレット１’を上方向に順次積み重ねることができる。このとき、背面壁２１の両端部に取り付けられた支持腕金具４２，４３によって、当該ロールボックスパレット１の上側に重ねられたロールボックスパレット１’における背面壁２１の両端部（フレーム部材２１ａ）が支持され、背面壁２１上に折り重ねられた各壁が上側に重ねられたロールボックスパレット１’の重みによって圧迫されることがなく、損傷等の不具合が生じることがない。このように、他のロールボックスパレット１’を上方向に順次積み重ねて効率よく収納することができる。
【００３４】
また、側面壁２２，２３を軸支する部材と、平坦にしたロールボックスパレット１を積み重ねたときに上側のロールボックスパレット１’を支持する支持腕金具４２，４３とを同一の部材によって構成したため、構造を簡素化することができる。
【００３５】
また、天井壁２７の両端にストッパ２７ｓを設けたことにより、側面壁２２，２３の上端部が天面壁２７側に傾斜することが防止され、収容室２の形状を歪みが生じることなく維持することができる。このため、例えば荷の収容や取り出しのために正面壁２５，２６を開閉したときに、正面壁２５，２６を不具合なく開閉させることができる。さらに正面壁の設けた留め金３１部分にロック機構を備えることにより収容物を安全に搬送することが可能となる。
【符号の説明】
【００３６】
１・・・ロールボックスパレット ２・・・収容室 ３・・・キャスター ２１・・・背面壁（壁部材） ２２，２３・・・側面壁（壁部材） ２４・・・底面壁（壁部材）
２５，２６・・・正面壁（壁部材） ２７・・・天井壁（壁部材） ４２，４３・・・支持腕金具 ４２ａ，４３ａ・・・受け皿部
【図１】
0005570854.tif 000002
【図２】
0005570854.tif 000003
【図３】
0005570854.tif 000004
【図４】
0005570854.tif 000005
【図５】
0005570854.tif 000006
【図６】
0005570854.tif 000007
【図７】
0005570854.tif 000008
【図８】
0005570854.tif 000009